(57)【特許請求の範囲】
【請求項１】
主梁間空調スペース毎に空調するワンスパン空調システムであって、空調用空気として還気のみ又は還気と外気の混気を熱交換するコイルを有すると共にこの空調用空気を前記主梁間空調スペースに供給する空調機と、前記空調機から供給された前記空調用空気で前記主梁間空調スペースの空気を誘引混合して前記主梁間空調スペースへ整流状に吹出しかつ誘引混合空気の熱を前記主梁間空調スペースに放射する誘引放射ユニットを、備えた
誘引放射ユニットと、を備え、
前記誘引放射ユニットが、供給された前記空調用空気を送り出す送気部と、誘引口を有すると共に多数の開孔部が形成され前記誘引混合空気を前記開孔部から前記主梁間空調スペースへ向かって放出する誘引混合放射ケースと、前記主梁間空調スペースに露出する開口部を有するフードと、を備え、
前記誘引混合放射ケースの内部に、所定ピッチで面対向する帯状の多数の伝熱板を設けて前記誘引混合空気を分流させて前記伝熱板の隙間を熱伝達させながら整流状に通過させ前記開孔部を介して前記主梁間空調スペースへ案内すると共に前記誘引混合空気の熱を前記誘引混合放射ケースに熱伝導させて前記主梁間空調スペースへ熱放射させかつ前記開孔部を通して前記主梁間空調スペースへ熱放射させる放射整流器を、設け、
前記フードの内部に前記誘引混合放射ケースを、これの周側面のうちの対向する二側面から前記誘引口までの範囲と前記フード及び前記送気部との間に誘引空気路用の間隔部を設けて、設置し、
前記誘引混合放射ケースに、前記送気部の前記空調用空気が吹き込まれて前記間隔部を介して前記主梁間空調スペースの空気を誘引するライン状の前記誘引口を、前記間隔部を形成する前記対向二側面の中間の中央線沿いに形成し、前記送気部に、前記誘引口に沿って前記空調用空気を吹出すライン状の吹出口を、形成したことを特徴とするワンスパン空調システム。
【請求項２】
主梁間空調スペース毎に空調するワンスパン空調システムであって、空調用空気として還気を熱交換するコイルを有すると共にこの空調用空気を前記主梁間空調スペースに供給する空調機と、空調用空気として外気を熱交換するコイルを有すると共にこの空調用空気を複数の前記主梁間空調スペースに跨って供給する外調機と、前記空調機及び／又は前記外調機から供給された前記空調用空気で前記主梁間空調スペースの空気を誘引混合して前記主梁間空調スペースへ整流状に吹出しかつ誘引混合空気の熱を前記主梁間空調スペースに放射する誘引放射ユニットを、備え、
前記誘引放射ユニットが、供給された前記空調用空気を送り出す送気部と、誘引口を有すると共に多数の開孔部が形成され前記誘引混合空気を前記開孔部から前記主梁間空調スペースへ向かって放出する誘引混合放射ケースと、前記主梁間空調スペースに露出する開口部を有するフードと、を備え、
前記誘引混合放射ケースの内部に、所定ピッチで面対向する帯状の多数の伝熱板を設けて前記誘引混合空気を分流させて前記伝熱板の隙間を熱伝達させながら整流状に通過させ前記開孔部を介して前記主梁間空調スペースへ案内すると共に前記誘引混合空気の熱を前記誘引混合放射ケースに熱伝導させて前記主梁間空調スペースへ熱放射させかつ前記開孔部を通して前記主梁間空調スペースへ熱放射させる放射整流器を、設け、
前記フードの内部に前記誘引混合放射ケースを、これの周側面のうちの対向する二側面から前記誘引口までの範囲と前記フード及び前記送気部との間に誘引空気路用の間隔部を設けて、設置し、
前記誘引混合放射ケースに、前記送気部の前記空調用空気が吹き込まれて前記間隔部を介して前記主梁間空調スペースの空気を誘引するライン状の前記誘引口を、前記間隔部を形成する前記対向二側面の中間の中央線沿いに形成し、前記送気部に、前記誘引口に沿って前記空調用空気を吹出すライン状の吹出口を、形成したことを特徴とするワンスパン空調システム。
【請求項３】
主梁間空調スペース毎に空調するワンスパン空調システムであって、空調用空気として還気を熱交換するコイルを有すると共にこの空調用空気を前記主梁間空調スペースに供給する空調機と、空調用空気として還気と外気を各々風量調整自在に熱交換するコイルを有すると共にこの空調用空気を複数の前記主梁間空調スペースに跨って供給する外調機と、前記空調機及び／又は前記外調機から供給された前記空調用空気で前記主梁間空調スペースの空気を誘引混合して前記主梁間空調スペースへ整流状に吹出しかつ誘引混合空気の熱を前記主梁間空調スペースに放射する誘引放射ユニットを、備え、
前記誘引放射ユニットが、供給された前記空調用空気を送り出す送気部と、誘引口を有すると共に多数の開孔部が形成され前記誘引混合空気を前記開孔部から前記主梁間空調スペースへ向かって放出する誘引混合放射ケースと、前記主梁間空調スペースに露出する開口部を有するフードと、を備え、
前記誘引混合放射ケースの内部に、所定ピッチで面対向する帯状の多数の伝熱板を設けて前記誘引混合空気を分流させて前記伝熱板の隙間を熱伝達させながら整流状に通過させ前記開孔部を介して前記主梁間空調スペースへ案内すると共に前記誘引混合空気の熱を前記誘引混合放射ケースに熱伝導させて前記主梁間空調スペースへ熱放射させかつ前記開孔部を通して前記主梁間空調スペースへ熱放射させる放射整流器を、設け、
前記フードの内部に前記誘引混合放射ケースを、これの周側面のうちの対向する二側面から前記誘引口までの範囲と前記フード及び前記送気部との間に誘引空気路用の間隔部を設けて、設置し、
前記誘引混合放射ケースに、前記送気部の前記空調用空気が吹き込まれて前記間隔部を介して前記主梁間空調スペースの空気を誘引するライン状の前記誘引口を、前記間隔部を形成する前記対向二側面の中間の中央線沿いに形成し、前記送気部に、前記誘引口に沿って前記空調用空気を吹出すライン状の吹出口を、形成したことを特徴とするワンスパン空調システム。
【請求項４】
供給された空調用空気で主梁間空調スペースの空気を誘引混合して前記主梁間空調スペースへ吹出す誘引吹出口を、備えた請求項１、２又は３記載のワンスパン空調システム。
【請求項５】
主梁間空調スペース単位で空調機の運転をオンオフさせる制御手段を、備えた請求項１、２、３又は４記載のワンスパン空調システム。
【請求項６】
コイルの伝熱管を楕円管にした請求項１、２、３、４又は５記載のワンスパン空調システム。
【請求項７】
空調用空気を冷温水で冷却・加熱する冷温水式のコイルとし、空気冷却時において、コイル入口熱源水温を１０〜１２℃、コイル出入口水温差を８〜１０℃、供給する空調用空気温度を１２〜１４℃に設定すると共に、空気加熱時において、コイル入口熱源水温を３５〜４０℃、コイル出入口水温差を８〜１０℃、供給する空調用空気温度を３２〜３７℃、に設定した請求項１、２、３、４、５又は６記載のワンスパン空調システム。
【請求項８】
空調用空気を冷媒で冷却・加熱切換自在に熱交換する直膨式のコイルとした請求項１、２、３、４、５又は６記載のワンスパン空調システム。
【発明の詳細な説明】
【技術分野】
【０００１】
本発明はワンスパン空調システムに関するものである。
【背景技術】
【０００２】
オフィスビルなどはワンフロア毎の空調が一般的で、空調範囲が広いため大型の空調機や機械室が必要で、施工が面倒であった。さらに、通常の空調機では、冷風又は暖風の強制対流による空調のため、フロア内で温度ムラを生じやすく、それを解消するために高価で複雑な空調制御をする必要があった。
【０００３】
【特許文献１】特開昭６０−１９１１５７号公報
【発明の開示】
【発明が解決しようとする課題】
【０００４】
また、冷温水式の空調機で従来の一般的な仕様の熱源水温や給気温度ではランニングコストを下げるのに限界があった。
【課題を解決するための手段】
【０００５】
本発明は上記課題を解決するため、主梁間空調スペース毎に空調するワンスパン空調システムであって、空調用空気として還気を熱交換するコイルを有すると共にこの空調用空気を前記主梁間空調スペースに供給する空調機と、空調用空気として外気を熱交換するコイルを有すると共にこの空調用空気を複数の前記主梁間空調スペースに跨って供給する外調機と、を備えたことを最も主要な特徴とする。
【発明の効果】
【０００６】
請求項１、２、３の発明によれば、
（１）空調範囲がワンスパン（主梁間空調スペース）なので小型の空調機で設計でき、省スペース化を図れて施工が容易となる。
（２）主梁間空調スペースの空気を誘引混合して主梁間空調スペースへ整流状に吹出しながら誘引混合空気の熱を主梁間空調スペースに放射するので、冷風又は暖風の強制対流による空調と比べて、コールドドラフトや温度ムラのない快適空調が行える。
（３）主梁間空調スペース空気を誘引混合させて再熱するので低温送風時に誘引放射ユニットの吹出口の結露を防止できる。そのため、空調用空気の風量当たりの冷却能力又は加熱能力を大きく（給気温度を通常より低温化又は高温化）して供給風量を少なくすることで、送風動力削減とダクト等の設備の小型化によりコストダウンを図れる。
【０００７】
請求項３の発明によれば、
（１）空調負荷の少ない中間期などの場合に、空調機及び外調機のコイルで熱交換することなく、外調機によって温度の異なる外気と還気を混合することで給気温度を設定温度に調整して空調でき、省エネとなる。
（２）冬期において主梁間空調スペースの温度が高くて冷房が必要となる場合に、空調機及び外調機のコイルで冷却することなく、外調機によって低温の外気と高温の還気を混合することで給気温度を設定温度に調整して冷房でき、省エネとなる。
（３）冷温水式コイルの場合、冷水と温水を同時に流す４管方式を使わずに済みコストダウンを図れる。
【０００９】
請求項４の発明によれば、
（１）主梁間空調スペース空気を誘引混合させて再熱するので低温送風時に吹出口の結露を防止できる。そのため、空調用空気の風量当たりの冷却能力又は加熱能力を大きく（給気温度を通常より低温化又は高温化）して供給風量を少なくすることで、送風動力削減とダクト等の設備の小型化によりコストダウンを図れる。
【００１０】
請求項５の発明によれば、
（１）距離減衰のない放射なので、複数のうちの一つのスパン（主梁間空調スペース）の空調を停止しても、運転中のスパンからの放射と、被放射部位からの再放射作用によりフロア全体の温度を平均化できる。そのため、空調負荷が減った場合に、主梁間空調スペース単位で空調機の運転をオンオフ（ＯＮ−ＯＦＦ）させれば温度ムラなく空調能力を調整でき、高価で複雑な空調制御が不要となる。
【００１１】
請求項６の発明によれば、
（１）楕円管で圧力損失が少ないので、コイルの列数を増やして伝熱管有効長を長くし、保有エネルギーの少ない低エクセルギー熱源から高採熱可能なコイルを得られる。即ち、小さなエネルギーで大きな空調能力を得られ、省エネとなる。
【００１２】
請求項７の発明によれば、
（１）空気冷却時において、コイル入口熱源水温を１０〜１２℃、コイル出入口水温差を８〜１０℃、供給する空調用空気温度を１２〜１４℃に設定することで、熱源機負担軽減、少水量、低温送風・少風量による大幅な省エネ化を図れる。同様に、空気加熱時において、コイル入口熱源水温を３５〜４０℃、コイル出入口水温差を８〜１０℃、供給する空調用空気温度を３２〜３７℃、に設定することで、熱源装置負担軽減、少水量、高温送風・少風量による大幅な省エネ化を図れる。
（２）楕円管とすることで送風動力が減るのでコイルを一層高採熱化でき、さらに省エネとなる。
【００１３】
請求項８の発明によれば、
（１）中間期など一日の寒暖差が大きい場合、気温の変化に応じて冷却と加熱を切換でき快適性が向上する。
（２）中間期など空調負荷が少ない場合、空調機を止めて外調機のみを冷却・加熱切換自在に運転するだけで空調でき省エネとなる。
【実施例】
【００１４】
図１と図２は、本発明の主梁間空調スペースＳ毎に空調するワンスパン空調システムの一実施例を示しており、このワンスパン空調システムは、空調用空気として還気を熱交換するコイル２３を有すると共にこの空調用空気を主梁間空調スペースＳに供給する空調機２０と、空調用空気として外気を熱交換するコイル４３を有すると共にこの空調用空気を複数の主梁間空調スペースＳに跨って供給する外調機４０と、供給された空調用空気で主梁間空調スペースＳの空気を誘引混合して主梁間空調スペースＳへ整流状に吹出しかつ誘引混合空気の熱を主梁間空調スペースＳに放射する誘引放射ユニット１と、供給された空調用空気で主梁間空調スペースＳの空気を誘引混合して主梁間空調スペースＳへ吹出す誘引吹出口６０と、屋外へ主梁間空調スペースＳの空気を排気させる図示省略の排気口と、主梁間空調スペースＳ単位で空調機２０の運転をオンオフさせる制御手段Ｒと、を備えている。主梁間空調スペースＳは、オフィスビルや病院、ホテルなどの各種建物の室内やホールなどにおいて主梁Ｈで囲まれた空間である。
【００１５】
図３と図４に示すように、空調機２０は、横長のケーシング２１内に、送風路２２と、熱交換用コイル２３と、ファン２４と、を少なくとも備え、天井Ｃに設置される。ケーシング２１には、空気取入口２５と、複数の給気口２６を有する分流チャンバ２７と、凝縮水排出用のドレンパン２８と、着脱自在な機内点検扉３２と、を設け、空気取入口２５と分流チャンバ２７を送風路２２で連通連結する。給気口２６は、送風ダクトＤにて誘引放射ユニット１及び／又は誘引吹出口６０と連通し、主梁間空調スペースＳに給気する。空気取入口２５は、天井チャンバや通風口等を介して主梁間空調スペースＳと連通し、還気を取入れする。
【００１６】
ファン２４は、コイル２３の風上で送風路２２内に設けて、コイル２３へ空気を押込み式に送風する。図３と図４の実線及び点線の白抜き矢印は送風方向を示し、ファン２４から送られた空気は、コイル２３を通過して熱交換され、給気口２６から冷暖風として給気される。コイル２３は、通風自在に設けられた多数の伝熱板に伝熱管を挿着して成り、伝熱管内を流れる熱媒や冷媒と通過空気が伝熱管及び伝熱板を介して熱交換する。この伝熱管は楕円管にするのが好ましいが円形管でもよい。分流チャンバ２７は、コイル２３の空気出口面ｅと対向するケーシング２１の部位に設け、給気口２６を、給気用空気吹出方向が梁等の障害物を避ける向きとなるように設ける。これにより、分流チャンバ２７の給気口２６の先に障害物があっても、複雑な形状の送風ダクトを使わずに単純な形状の送風ダクトを敷設して給気口２６に簡単に接続でき、施工が容易となる。
【００１７】
ケーシング２１内の送風路２２には、その送風方向に対して斜めに熱交換用コイル２３を、設ける。このコイル２３の空気入口面ａと対向する送風路２２の部位ｂに、空気入口面ａと送風路対向部位ｂとの間隔を送風方向の風上側から風下側に向かって狭くする整流ガイド２９を、設ける。この整流ガイド２９の一部を、開閉自在であって開放することでコイル２３よりも風下側からコイル２３の空気入口面ａ側を臨める開閉部材３０で、構成する。このように、送風方向に対してコイル２３を斜めにして設けることで、一般的な空調機の容積当たりの熱交換能力（伝熱面積）よりも大きな能力のコイルを搭載でき、空調機がコンパクトとなる。また、整流ガイド２９でコイル２３の空気入口面ａと送風路対向部位ｂとの間隔を送風方向の風上側から風下側に向かって狭くしてあるので、コイル通過空気の偏流を防止でき、熱交換ロスが生じない。空調機２０がコンパクトで大能力なので、天井設置でワンスパンを空調する方式に好適となる。
【００１８】
開閉部材３０は、（図３の点線と仮想線の如く）開度を可変・固定自在な片開き戸状とし、開閉部材３０の開閉中心軸ｃを風上側に、開閉部材３０の揺動先端縁部ｄを風下側に、設けて、コイル２３の風下側の端縁部と、開閉部材３０の揺動先端縁部ｄと、で形成される開口部３１の面積を調整自在に構成する。この開閉部材３０を揺動させて開口部３１からのバイパス空気量を変えることで、コイル空気入口面ａへの送風空気の風量、風速のバランスが所望の値となるように調整する。開閉部材３０は、公知のヒンジ付き戸やボルトナット等の各種固定具で構成したり、整流ガイド２９の開閉部材３０をシャッター構造やダンパ構造など各種構造に変更するも自由である。また、分流チャンバ２７の給気口２６の向きや数量の変更は自由である。
【００１９】
このように、整流ガイド２９の一部を開閉部材３０で構成しているので、空調機２０を天井内から下ろすことなく、天井内からケーシング２１内のコイル等の部品の保守点検ができ作業性が良い。開閉部材３０の開度を調整することで、コイル空気入口面ａの風上側と風下側で風量、風速を均一化できてバラツキが生じない。そのため、コイル２３全域で均等に効率良く熱交換できて、吹出空気の（ひいては誘引放射ユニット１及び／又は誘引吹出口６０での）温度ムラが発生せず、安定した快適空調を行える。開閉部材３０が、コイル風量・風速分布調整用部材と点検用部材とを兼ねているので部材が少なくなり製作コスト削減を図れる。
【００２０】
図５と図６に示すように、外調機４０は、縦長のケーシング４１内に、送風路４２と、熱交換用コイル４３と、給気用ファン４４と、フィルタ４７と、コイル凝縮水排出用のドレンパン４８と、蒸気式加湿器の加湿ノズル５４と、を少なくとも備え、床に設置される。ケーシング４１には、空気取入口４５と、給気口４６と、機内点検扉４９と、を設け、空気取入口４５と給気口４６を送風路４２で連通連結する。給気口４６は、送風ダクトＤにて誘引放射ユニット１及び／又は誘引吹出口６０と連通し、主梁間空調スペースＳに給気する。空気取入口４５は、空気取入チャンバ兼用の機械室５０から外気を取入れする。機械室５０は、パーティション５５でケーシング４１を囲って構成する。そのため、パーティション５５で簡易の機械室を設けることができ、空気取入チャンバに兼用できるので送風ダクトの部材が不要となり、コスト低減を図れる。
【００２１】
ファン４４は、コイル４３の風下で送風路４２内に設けて、空気を吸込み式に送風する。図５と図６の実線及び点線の白抜き矢印は送風方向を示し、ファン４４で吸い込まれた空気は、コイル４３を通過して熱交換され、給気口４６から冷暖風として給気される。コイル４３は、通風自在に設けられた多数の伝熱板に伝熱管を挿着して成り、伝熱管内を流れる熱媒や冷媒と通過空気が伝熱管及び伝熱板を介して熱交換する。この伝熱管は楕円管にするのが好ましいが円形管でもよい。
【００２２】
ケーシング４１は、コイル４３を内部に設けたコイルブロック５１と、中空状のメンテブロック５２と、ファン４４を内部に設けたファンブロック５３と、を上へ順に積層連通連結して構成する。このコイルブロック５１の一面に、空気取入口４５を設け、空気取入口４５の近傍にフィルタ４７を間に挟んでコイル４３を配置する。メンテブロック５２の一面と対向する他面にはフィルタ４７を出し入れする着脱自在な機内点検扉４９を、設け、（図５の仮想線で示すように）機内点検扉４９を開けてフィルタ４７を出し入れする。コイルブロック５１の他面とコイル４３の間には、加湿ノズル５４を設け、コイルブロック５１で加湿用の蒸気を放出するように構成し、コイルブロック５１とメンテブロック５２の両空間内で蒸発吸収させて空気を加湿する。
【００２３】
このように、メンテブロック５２のスペースを利用して蒸気加湿の蒸発吸収距離を長くすることができる。そのため、加湿効率が良くて飽和効率を高めることができ、湿度制御範囲が広がって快適性が向上する。メンテブロック５２を保守点検と加湿スペースに兼用してあるので機体の大型化を防止でき、縦に積層してあるので設置面積も少なくて済み、ケーシング４１の空気取入口４５と反対側からフィルタ４７を出し入れできるので、空気取入口４５側にメンテスペースが不要となり、省スペース化を図れる。コンパクトなので、床設置でワンスパンを空調する方式に好適となる。
【００２４】
なお、蒸気式加湿器としては、公知の電極式や電熱式、蒸気噴霧式など各種のものに変更したり、加湿器を気化式とするも自由である。図例では、蒸気を放出する加湿ノズル５４のみを配置した場合を例示しているが、ケーシング４１内に、加湿ノズル５４へ蒸気を供給する蒸気発生器等の機器を、設けてもよい。また、空気取入口４５とフィルタ４７をケーシング４１の他面に設けるも自由である。
【００２５】
コイル２３及び／又はコイル４３は、空調用空気を冷温水で冷却・加熱する冷温水式のコイルとする。このコイル２３、４３は、図示省略の水配管を介して熱源装置と接続され、この熱源装置で温度調整された熱源水がコイル２３及び／又はコイル４３と前記熱源装置とを循環する。このとき、空気冷却時において、コイル入口熱源水温を１０〜１２℃、コイル出入口水温差を８〜１０℃、供給する空調用空気温度を１２〜１４℃に設定すると共に、空気加熱時において、コイル入口熱源水温を３５〜４０℃、コイル出入口水温差を８〜１０℃、供給する空調用空気温度を３２〜３７℃、に設定する。なお、コイル２３、４３が丸管の場合、上記設定温度とするためにコイルの列数を増やすと送風動力が大幅に増え、省エネ効果が小となる。制御手段Ｒは、空調機２０のコイル２３への通水量を制御して運転をオンオフさせる機能以外に、外調機４０への通水量を制御する機能、熱源水温を調整する機能、を少なくとも備えている。
【００２６】
なお、空調用空気として還気と外気を各々風量調整自在に熱交換するコイル４３を有する外調機４０に、変更するも自由である。この場合、コイル４３を通過する外気量と還気量を各々０〜１００％で調整する図示省略のダンパ機構を設け、制御手段Ｒで風量制御する。このダンパ機構によって温度の異なる還気と外気を混ぜて主梁間空調スペースＳへ供給し、コイル２３、４３で冷却又は加熱せずに、中間期や冬期に空調することができる。外気と還気を混合しても給気温度を設定温度に調整不足となる場合は、調整不足分だけ外調機４０のコイル４３で空調用空気を熱交換して空調することができる。例えば、冬期冷房の場合に、外気と還気を混合したときに給気温度が設定温度によりも低くなるときは、外調機４０のコイル４３の暖房用温水で加熱して調整することができ、冷水と温水を同時に流す４管式配管が不要となる。
【００２７】
図例では、空調機２０は天井設置用となっているが床設置用とするも自由である。図示省略するが、例えば、外調機４０から加湿器を省略した構造のものとすればよい。また、コイル２３及び／又はコイル４３を、空調用空気を冷媒で冷却・加熱切換自在に熱交換する直膨式のコイルとするも自由である。図示省略するが、例えば、空調機２０と外調機４０に、循環冷媒に対して圧縮・凝縮・膨張・蒸発の工程順を繰返し、この循環冷媒と熱交換する空気に対して冷媒蒸発工程で吸熱を冷媒凝縮工程で放熱を各々行うと共に、蒸発工程と凝縮工程を切換自在な公知のヒートポンプを、設ければよい。ヒートポンプを構成する機器の構成の変更は自由であり、水熱源方式又は空気熱源方式としたり、蒸発器・凝縮器一体方式又は蒸発器・凝縮器セパレート方式と、するも自由である。
【００２８】
図７〜図１２に示すように、誘引放射ユニット１は主梁間空調スペースＳの天井Ｃに設置する。この誘引放射ユニット１と空調機２０及び／又は外調機４０は送風ダクトＤを介して連通連結する。誘引放射ユニット１は、空調用の供給空気を送り出す送気部１１と、誘引口１０を有しこれに送気部１１の空調用空気が吹き込まれることで主梁間空調スペースＳの空気を誘引混合して多数の開孔部９から主梁間空調スペースＳへ向かって放出する誘引混合放射ケース１６と、フード１３と、を備えている。
【００２９】
この誘引混合放射ケース１６の内部に、誘引混合空気を分流させて整流状にして開孔部９を介して主梁間空調スペースＳへ案内すると共に誘引混合空気の熱を誘引混合放射ケース１６に熱伝導させて主梁間空調スペースＳへ熱放射させかつ開孔部９を通して主梁間空調スペースＳへ熱放射させる放射整流器２を、設ける。放射整流器２は、全体が扁平な矩形状で誘引混合放射ケース１６の少なくとも一面（図例では主梁間空調スペースＳに臨む側）と熱伝導自在に接触させる。
【００３０】
放射整流器２は、熱伝導及び熱放射率の高い材質であって帯状の多数の伝熱板８を所定ピッチで面対向させて設けると共に誘引混合空気が分流して伝熱板８、８の隙間を熱伝達しながら整流状に通過するように構成する。各伝熱板８には、法線方向から複数の楕円状直管１９を間隔をあけて挿着し、この楕円状直管１９の楕円長軸が主梁間空調スペースＳに向くようにする。なお、図例では直管１９は楕円状となっているが真円状としたり、図１１の実施例において伝熱板８の直管１９を挿着していない部分の穴を省略してもよく、放射整流器２の形状、構造等の変更は自由である。
【００３１】
誘引混合空気は、放射整流器２及び誘引混合放射ケース１６の部材抵抗により分流拡散しながら風速を落として伝熱板８、８の隙間を通過しながら整流状となり、誘引混合空気の熱を放射整流器２全域に均一に熱伝達する。開孔部９は、誘引混合放射ケース１６の主梁間空調スペースＳに臨む側の面の略全域に互いに間隔をあけて形成する。図例では開孔部９は長孔状となっているが、丸や他の形状とするも自由で、位置の変更も自由である。
【００３２】
フード１３は主梁間空調スペースＳに露出する開口部１４を有している。フード１３の内部には、扁平な矩形状の誘引混合放射ケース１６を、これの周側面のうちのすくなくとも対向する二側面から誘引口１０までの範囲とフード１３及び送気部１１との間に誘引空気路用の間隔部１５を設けるようにして設置する。誘引混合放射ケース１６はフード１３に対して開閉又は着脱自在に構成する。図例では、誘引混合放射ケース１６の長辺（長手）方向の両横から誘引口１０に回り込むように間隔部１５を設けているが、短辺方向の両横からも回り込むようにし、四側面（全周）全部に間隔部を設けるなど変更は自由である。また、送気部１１の空気入口１８はフード１３の長手方向の一端面に設けているが、空気入口１８の位置や数の変更は自由である。
【００３３】
誘引混合放射ケース１６には、送気部１１の空調用の供給空気が吹き込まれる誘引口１０を、間隔部１５を形成する対向二側面の中間の中央線Ｌに沿ってライン状に形成し、送気部１１に、空調用空気を吹出す吹出口１２を、誘引口１０に沿ってライン状に形成する。送気部１１は、風上から風下に向かって狭くなる漏斗状とされているが、送気部１１の形状、構造等の変更は自由である。送気部１１の内部空間は、吹出口１２の長辺方向の風上側から風下側へ向かって縮小させ、送気部１１に風向を調整する風向調整機構Ｇを設ける。図例では、送気部１１の内部を傾斜板１１ａで仕切って内部空間を縮小させているが、送気部１１自体を縮小させたり、その他の方法で縮小させてもよい。
【００３４】
風向調整機構Ｇは、給気用空気の気流方向と交わる方向に伸びる複数の小壁条部７を間隔をあけて設けて成る。風向調整機構Ｇがない場合、図１０の点線の太矢印のように給気用空気が斜めに流れるが、風向調整機構Ｇの抵抗により図１０の実線の太矢印のように送気部１１の長手方向と直交方向に風向きを調整することができる。この小壁条部７の幅と高さは変更自由である。
【００３５】
図１１に示すように、供給空気は、実線の太矢印のように送気部１１から吹出されて誘引混合放射ケース１６内に入ると吹出口１２と誘引口１０の間隙部が負圧となって、短い点線の太矢印のように主梁間空調スペースＳの空気を間隔部１５を介して誘引し、長い点線の太矢印のように誘引混合放射ケース１６内で混合しながら分流拡散して主梁間空調スペースＳへ整流状に放出される。これらを繰り返して主梁間空調スペースＳと誘引放射ユニットとの間で空気が対流循環し撹拌される。冷房時は主梁間空調スペースＳよりも温度が低い誘引混合空気と冷熱放射により空調し、暖房時は主梁間空調スペースＳよりも温度が高い誘引混合空気と温熱放射により空調する。給気用空気は、例えば結露防止や空調効率化のために、誘引混合された時点で主梁間空調スペースＳの露点温度より高温で絶対湿度が低くなるように設定するが、変更は自由である。空調に最適な誘引空気混合比の例をあげると、供給空気風量：誘引風量が約６：４であるが、設定変更は自由である。
【００３６】
図１３〜図１７に示すように、誘引吹出口６０は、空調用の供給空気で主梁間空調スペースＳの空気を誘引混合してその混合空気を主梁間空調スペースＳへ吹出す本体６１を、備えている。本体６１は、間隔部６２を有する供給空気導入部６８と、空気噴出口６４と誘引口６５と混合空気吹出風路６６と誘引風路６７とを有する吹出部６９と、で構成する。誘引吹出口６０は、主梁間空調スペースＳの天井Ｃに設ける。誘引吹出口６０には、空調機２０及び／又は外調機４０から送風ダクトＤを介して空調用空気が供給される。なお、図１３〜図１８の各図における点線の太矢印は風向を示す。
【００３７】
本体６１内の風上側には環状の間隔部６２を形成する。この間隔部６２の周方向へ供給空気が送り込まれるように送気口６３を、設ける。間隔部６２の軸方向の風下には、通過断面積を減少させ風速を高めて供給空気を噴出する空気噴出口６４を、間隔部６２に沿ってその周方向に複数分割配置する。即ち、本体６１内に空気噴出口６４を環状に複数分割配置し、本体６１内の空気噴出口６４の風上に、空気噴出口６４に沿って環状の間隔部６２を形成する。空気噴出口６４の風下には、誘引口６５を、空気噴出口６４から噴出する供給空気が吹き込まれることで主梁間空調スペースＳの空気を誘引するように空気噴出口６４毎に分割配置して、隣り合う誘引口６５と誘引口６５の周方向端部の間に誘引空気を径方向に横切らせて誘引口６５の全周に周り込ませる誘導案内路７９を、設ける。
【００３８】
誘引口６５の風下には、供給空気と誘引空気の混合空気を主梁間空調スペースＳへ誘導案内する混合空気吹出風路６６を、風上から風下に向かって拡大する丸形の環状に形成し、誘引空気を主梁間空調スペースＳから誘引口６５へ誘導案内する誘引風路６７を、混合空気吹出風路６６の外周に沿って環状に形成する。これにより、本体６１の径方向外方から空気を誘引して、本体６１の径方向内方から吹出すこととなり、コアンダ効果による天井面の汚れが発生しない。そのため、天井面が美しくメンテナンスフリーとなる。混合空気吹出風路６６には、主梁間空調スペースＳへ混合空気を渦巻き状にして誘導案内するガイド部８０を、設ける。なお、本発明において環状とはリング状、筒状、フレア状など各種形状を全て含むものとする。
【００３９】
吹出部６９は、主梁間空調スペースＳ側が開口する笠状の外壁体７１及び内壁体７２と、笠状の胴体７３と、を有している。胴体７３は内壁体７２の内部に所定間隔を隔てて設け、内壁体７２は外壁体７１の内部に所定間隔を隔てて設ける。この外壁体７１の内面と内壁体７２の外面にて誘引風路６７を形成し、内壁体７２の内面と胴体７３の外面にて混合空気吹出風路６６を形成する。混合空気吹出風路６６のガイド部８０は、胴体７３の外面に複数の凸条を渦巻き状に形成して成る。これにより、混合空気を渦巻き状に旋回させて主梁間空調スペースＳに吹出すのを促進でき、拡散性が向上する。
【００４０】
外壁体７１と内壁体７２と胴体７３はボルトナット等の連結部材で着脱自在に連結する。混合空気吹出風路６６の風上部は本体６１の軸方向内方に設けて風路を長くする。胴体７３の内部には、照明器具７４又は／及び主梁間空調スペースＳの人体を検出して信号を出力する検出器７５を設ける。この検出器７５の信号に応じて吹出風量と照明器具調光の一方又は両方を制御するように構成する。図例では胴体７３は中空状となっているが、主梁間空調スペースＳ側を開口させた構造とするも自由で、ガイド部８０は、内壁体７２の内面又は／及び胴体７３の外面に設けても良い。また、ガイド部８０、混合空気吹出風路６６と誘引風路６７の構成、構造の変更は自由であり、図例に限定されるものではない。
【００４１】
供給空気導入部６８は、主梁間空調スペースＳ側が開口する筐体７６と、有底筒状の仕切体７７と、送気口６３と、を有している。仕切体７７は筐体７６の内部に所定間隔を隔てて設ける。この筐体７６の内面と仕切体７７の外面にて間隔部６２を形成する。送気口６３は筐体７６に、間隔部６２の周方向へ供給空気が螺旋状に流れるように内接線状に設ける。このように本体６１の間隔部６２に沿って供給空気が渦巻き状に旋回して全周に行き渡るので、混合空気を主梁間空調スペースＳに均等に吹出すことができ拡散性が低下しない。さらに、簡単な構造でコンパクト化を図れてスペースをとらず、圧力損失が少なく乱流を防止してスムースに吹出しでき、低騒音となる。
【００４２】
この供給空気導入部６８に対して吹出部６９を、空気噴出口６４及び誘引口６５の周方向位置を変更自在として連通連結し、供給空気導入部６８と吹出部６９を固定する固定具Ｖを、設ける。固定具Ｖはボルトナット部材７０とし、供給空気導入部６８の風下開口部と、吹出部６９の風上開口部を、空気噴出口６４及び誘引口６５の軸方向及び周方向へ摺動自在に形成して嵌合し、供給空気導入部６８の軸心部と、吹出部６９の軸心部を、ボルトナット部材７０にて螺進退自在に連結する。供給空気導入部６８は天井内に吊下げ固定し、ボルトナット部材７０により吹出部６９と天井との隙間Ｗの調節と、空気噴出口６４及び誘引口６５の周方向位置調節と、を行う。このように、ボルトナット部材７０を螺進退させるだけで簡単に、吹出部６９の軸方向位置調節と周方向位置調節ができる。たとえば、天井Ｃと吹出部６９の隙間調節や吹出方向の調節に兼用できる。また、空気噴出口６４及び誘引口６５の周方向位置を変更することで簡単に、主梁間空調スペースＳの熱負荷分布に応じた気流分布を自由に設定でき、空調効率が良くなり快適性が向上する。
【００４３】
図例では供給空気導入部６８の筐体７６の開口部に、吹出部６９の外壁体７１の一部を風上側へ突出させて摺動自在に外嵌し、供給空気導入部６８の仕切体７７と内壁体７２とを固定具Ｖで連結しているが、仕切体７７と外壁体７１を固定具Ｖで連結してもよく、その構成、構造の変更は自由であり、図例に限定されるものではない。また、供給空気導入部６８の内周面は丸形となっているが多角形でも良く、固定具Ｖはボルトナット部材７０以外の機構や構造、構成のものであっても良い。
【００４４】
この供給空気導入部６８に送り込まれた供給空気は、間隔部６２に沿って回りながら拡散して空気噴出口６４を通過し、誘引口６５に向かって噴出する。その際、空気噴出口６４と誘引口６５との間隙部が負圧となって、主梁間空調スペースＳの空気を誘引風路６７を介して誘引する。誘引空気は誘導案内路７９を介して周り込み誘引口６５の全周から吸込まれて供給空気と混合する。そのため混合空気吹出風量に対する供給空気風量：誘引空気風量の比率を例えば６：４のように多くできる。即ち、誘引空気を誘引口６５の全周から誘引できるので圧力損失が少なく、供給空気風量に対する誘引空気の風量（混合比）を多く確保できる。そのため、混合空気の吹出風量の増加を図れて、拡散性が良好となり温度ムラがなくなる。
【００４５】
混合空気は、混合空気吹出風路６６を通り主梁間空調スペースＳに向かって４方向に吹出す。例えば、冷房時、混合空気吹出風路６６では１３℃の低温の供給空気と、それよりも高温の２７℃の誘引空気を混合するので結露は生じない。即ち、本体６１内部で低温の供給空気とそれよりも高温の誘引空気を混合して吹出すので空気噴出口６４より風下での結露発生を防止できる。そのため、誘引口６５と混合空気吹出風路６６の断熱が不要となって断熱処理範囲が少なくて済み、製作が容易となる。なお、供給空気は誘引混合された時点で主梁間空調スペースＳの露点温度より高温で絶対湿度が低くなるように設定するが変更は自由である。
【００４６】
なお、空気噴出口６４と誘引口６５の分割数の増減は自由で、図１８は３分割した例を示している。このように、空気噴出口６４及び誘引口６５を周方向に分割しているので静圧が小さくなって気流到達距離が延び拡散性が良好となる。また、主梁間空調スペースＳの間取り等に応じて、空気噴出口及び誘引口の周方向の分割数を変更するだけで簡単に２方向、３方向、４方向など自由に吹き出し方向を選択できる。また、図示省略するが、誘引風路６７及び混合空気吹出風路６６は、風上から風下に向かって拡大する四角を含む多角形の環状に形成しても良い。また、ガイド部８０を省略するも自由で、送気口６３は内接線状でなく割線状に設けてもよい。
【００４７】
本発明は上述の実施例に限定されず、本発明の要旨を逸脱しない範囲で設計変更自由で、外調機４０を省略し、空調用空気として還気と外気の混気をコイル２３で熱交換して主梁間空調スペースＳに供給する空調機２０とするも自由である。また、誘引放射ユニット１、誘引吹出口６０、空調機２０及び外調機４０の配置や数量の変更は自由である。さらに、誘引放射ユニット１及び誘引吹出口６０と、空調機２０及び外調機４０と、の連通連結の組合せは自由であり、誘引放射ユニット１と誘引吹出口６０の何れか一方を省略して、他方を空調機２０と外調機４０に連通連結するも自由である。
【図面の簡単な説明】
【００４８】
【図１】ワンスパン空調システムを示す簡略平面図である。
【図２】ワンスパン空調システムの簡略側面図である。
【図３】空調機の平面図である。
【図４】空調機の側面図である。
【図５】外調機の側面図である。
【図６】外調機の正面図である。
【図７】誘引放射ユニットの斜視図である。
【図８】誘引放射ユニットをフード側から見た図である。
【図９】誘引混合放射ケースの一部を破断させて誘引口側から見た図である。
【図１０】図８のＸ方向から見た誘引放射ユニットの断面図である。
【図１１】図８のＥ方向から見た誘引放射ユニットの断面図である。
【図１２】送気部材の上面の一部を破断させた斜視図である。
【図１３】誘引吹出口を供給空気導入部側から見た全体図である。
【図１４】図１３のＡ−Ａ断面図である。
【図１５】図１４のＢ−Ｂ断面図である。
【図１６】吹出部側から見た全体図である。
【図１７】一部を省略した供給空気導入部側から見た胴体の全体図である。
【図１８】一部を省略した吹出部の変形例を示す断面図である。
【符号の説明】
【００４９】
１    誘引放射ユニット
２０  空調機 
２３  コイル
４０  外調機
４３  コイル
６０  誘引吹出口
Ｓ    主梁間空調スペース
Ｒ    制御手段
【図１】
0005198620.tif 000002
【図２】
0005198620.tif 000003
【図３】
0005198620.tif 000004
【図４】
0005198620.tif 000005
【図５】
0005198620.tif 000006
【図６】
0005198620.tif 000007
【図７】
0005198620.tif 000008
【図８】
0005198620.tif 000009
【図９】
0005198620.tif 000010
【図１０】
0005198620.tif 000011
【図１１】
0005198620.tif 000012
【図１２】
0005198620.tif 000013
【図１３】
0005198620.tif 000014
【図１４】
0005198620.tif 000015
【図１５】
0005198620.tif 000016
【図１６】
0005198620.tif 000017
【図１７】
0005198620.tif 000018
【図１８】
0005198620.tif 000019